(57)【要約】【課題】画像露光装置とパンチ装置が独立した構成において、簡単な方法で高精度のプレート位置決めを可能にする。【解決手段】プレート１２に位置決め用パンチ孔を穿設するパンチ装置１６と、回転ドラム５０に巻き付けられたプレートに画像を露光する露光部１８と、前記パンチ装置１６および回転ドラム５０にプレート１２を供給する給版ガイドユニットとを備えた画像露光装置において、給版ガイドユニット２０は、プレートの一方の側端縁に当接して該プレートの横位置を規制する基準ピン３６と、該基準ピン３６のプレート側に隣接して配置され、該プレートの一方の側端縁の表面または裏面に接触してプレート１２の振動を抑制するプレート支持部材１４０とを有する横位置決め手段を備えたものである。【選択図】        図９
2004333988.tif 000002
【特許請求の範囲】
【請求項１】
プレートに位置決め用パンチ孔を穿設するパンチ装置と、回転ドラムに巻き付けられたプレートに画像を露光する露光部と、前記パンチ装置部および回転ドラムにプレートを供給する給版ガイドユニットとを備えた画像露光装置において、
前記給版ガイドユニットは、
プレートの一方の側端縁に当接して該プレートの横位置を規制する基準ピンと、
該基準ピンの該プレート側に隣接して配置され、該プレートの一方の側端縁の表面または裏面に接触してプレートの振動を抑制するプレート支持部材とを有する横位置決め手段を備えたものであることを特徴とする画像露光装置。
【請求項２】
前記給版ガイドユニットは、
プレートを前記パンチ装置および回転ドラムに供給する方向と交わる方向である横方向に搬送する横搬送手段を備え、
前記プレート支持部は、
前記基準ピンとは反対側であって、プレートが前記横搬送手段により横方向に搬送されてきたときに該プレートの一方の側端縁が当たる部分にテーパ面が形成された滑り材で構成されたものであることを特徴とする請求項１記載の画像露光装置。
【請求項３】
前記プレート支持部は、プレートの前記一方の側端縁と略平行に配置された回転ローラで構成されたものであることを特徴とする請求項１記載の画像露光装置。
【請求項４】
この画像露光装置は、前記パンチ装置および給版ガイドユニットが取り付けられた本体フレームと、前記回転ドラムおよび露光部を支持する支持ベースと、該支持ベースを前記本体フレームに支持する防振部材とを備えていることを特徴とする請求項１記載の画像露光装置。
【請求項５】
前記給版ガイドユニットは、軸を介して前記本体フレームに回動自在に支持されたものであり、該給版ガイドユニットには与圧をかけて軸方向の動きを抑制する与圧手段を備えたことを特徴とする請求項１記載の画像露光装置。
【請求項６】
前記給版ガイドユニットは、プレートの下面を支持して回転する給版ローラを備えたものであり、該給版ローラには与圧をかけて軸方向の動きを抑制する給版ローラ与圧手段を備えたことを特徴とする請求項１記載の画像露光装置。
【発明の詳細な説明】
【０００１】
【発明の属する技術分野】
本発明は、プレートにパンチ孔を穿孔するパンチ装置と画像を露光する露光部とを備えた画像露光装置に関する。
【０００２】
【従来の技術】
従来、アルミニウム等のプレートに画像を露光した印刷版を作成する画像露光装置として、回転ドラムにプレートを巻き付けて、回転ドラムと共にプレートを回転させながら、画像データに応じた光ビームをプレートに照射することにより、プレートを照射露光するものがある（例えば、特許文献１参照）。
【０００３】
この画像露光装置は、プレートを搬送コンベア上で斜め下方へ搬送し、このプレートの先端を第１の位置決め用の一対のピンローラに当接させて搬送方向の前端の位置決めを行った後、搬送コンベアをプレート搬送方向に直交する幅方向に移動させ、プレートの側部を第２の位置決めピンに当接させて幅方向の位置決めを行う。その後、このプレートがパンチャーに挿入され、回転ドラムに巻き付けるときの位置決めに用いられる切欠がプレート前端に形成されるようになっている。
【０００４】
また、画像が露光されたプレート（印刷版）を輪転機に巻きつけて印刷を行う際の基準となるパンチ孔を穿孔するためのパンチ装置を兼ね備えることにより、生産性の向上を図った画像露光装置も考えられている。
【０００５】
【特許文献１】
特開２００１−３５６４８９号公報（第７頁、図４）
【０００６】
【発明が解決しようとする課題】
上記のように、印刷を行う際の基準となるパンチ孔を穿孔するためのパンチ装置を備えた画像露光装置においては、露光中の回転ドラムからの振動がプレート給版用の給版ガイドユニットに伝わり、給版ガイドユニット上で位置決め動作中のプレートに伝わる。そのため、例えば、回転ドラムを回転させてのプレート露光中に、給版ガイドユニット上で２枚目のプレートをパンチ孔穿孔のために位置決めを行なおうとする場合、回転ドラムの振動の影響でプレートにびびりを生じて位置ずれを生じ、正確な位置決めができなくなり、その結果パンチ孔の位置がずれてしまうという問題がある。
【０００７】
本発明は、上記事情に鑑み、位置決め中のプレートの振動を抑制し、高精度の位置決めを可能にした画像露光装置を提供することを目的とする。
【０００８】
【課題を解決するための手段】
上記目的を達成する本発明の穿孔及び画像露光システムは、プレートに位置決め用パンチ孔を穿設するパンチ装置と、回転ドラムに巻き付けられたプレートに画像を露光する露光部と、前記パンチ装置部および回転ドラムにプレートを供給する給版ガイドユニットとを備えた画像露光装置において、
前記給版ガイドユニットは、
プレートの一方の側端縁に当接して該プレートの横位置を規制する基準ピンと、
該基準ピンの該プレート側に隣接して配置され、該プレートの一方の側端縁の表面または裏面に接触してプレートの振動を抑制するプレート支持部材とを有する横位置決め手段を備えたものであることを特徴とする。
【０００９】
本発明では、プレートの一方の側端縁を基準ピンに当接させて横位置決めを行う際に、プレートの側端縁の表面または裏面にプレート支持部材が接触するため、回転ドラム等の振動がプレートに伝わっても、プレートのびびりが抑制され、位置ずれが抑制されて正確な位置決めが可能となる。
【００１０】
前記給版ガイドユニットは、
プレートを前記パンチ装置および回転ドラムに供給する方向と交わる方向である横方向に搬送する横搬送手段を備え、
前記プレート支持部は、
前記基準ピンとは反対側であって、プレートが前記横搬送手段により横方向に搬送されてきたときに該プレートの一方の側端縁が当たる部分にテーパ面が形成された滑り材で構成されたものであることが好ましい。
【００１１】
前記プレート支持部は、プレートの前記一方の側端縁と略平行に配置された回転ローラで構成されたものとすることも好ましい形態である。
【００１２】
この画像露光装置は、前記パンチ装置および給版ガイドユニットが取り付けられた本体フレームと、前記回転ドラムおよび露光部を支持する支持ベースと、該支持ベースを前記本体フレームに支持する防振部材とを備えていることで、プレートに伝わる振動を抑制することが好ましい。
【００１３】
前記給版ガイドユニットは、軸を介して前記本体フレームに回動自在に支持されたものであり、該給版ガイドユニットには与圧をかけて軸方向の動き抑制する与圧手段を備えることで、給版ガイドユニットのがたつきによる振動を抑制することが好ましい。
【００１４】
前記給版ガイドユニットは、プレートの下面を支持して回転する給版ローラを備えたものであり、該給版ローラには与圧をかけて軸方向の動き抑制する給版ローラ与圧手段を備えたことで、給版ローラのがたつきによる振動を抑制することが好ましい。
【００１５】
【発明の実施の形態】
以下、本発明の実施形態について説明する。
【００１６】
図１は、本発明の画像露光装置の実施形態を示す斜視図、図２は同画像露光装置の側面図、図３は画像露光装置を模式的示す概略的側面図、図４は搬送ガイドユニットから排版ガイドユニットを除去した状態の斜視図である。
である。
【００１７】
図１、図２に示すように、この画像露光装置１０は、本体フレーム１の下部に配置された回転ドラム５０と、この回転ドラム５０の周方向の側方に配置された露光ヘッド６６と、回転ドラム５０の上方に配置されたパンチ装置１６と、本体フレーム１の上部に配置され、回転ドラム５０およびパンチ装置１６にプレートを供給する位置に選択的に回動する搬送ガイドユニット１４とを備えている。
【００１８】
回転ドラム５０はベース２に回転自在に支持され、露光ヘッド６６はベース２の上面に回転ドラム５０と平行に配置されたレール４に移動自在に取り付けられている。ベース２は防振部材３を介して本体フレーム１の基台５に支持されている。防振部材３としては、例えば、防振ゴム、金属ばね、空気ばね等、所望の部材が使用される。
【００１９】
パンチ装置１６には、本体フレーム１の上部に取付けられた取付板４４に支持された一対のパンチャー４６を備えている。
【００２０】
図３、図４に示すように、搬送ガイドユニット１４は、略四角形平板状の給版ガイドユニット２０と、その上部に配置された略四角形平板状の排版ガイドユニット２２と、両側に設けられた左フレーム１５ａおよび右フレーム１５ｂとを有している。搬送ガイドユニット２０は、本体フレーム１の上部に回転軸１７を介して支持されている。
【００２１】
図４に示すように、給版ガイドユニット２０の前側部位には、円柱状の前部給版ローラ２４および後部給版ローラ２８が回転可能に、かつ給版ガイドユニット２０上に突出するように設けられている。これら給版ローラ２４，２８は駆動モータ（図示せず）で正逆回転されされることで、給版ガイドユニット２０上に載置されたプレート１２が前方又は後方へ搬送するようになっている。
【００２２】
給版ガイドユニット２０上には台形柱状のリブ２６が多数設けられている。このリブ２６は、前後方向に平行に配置されると共に、給版ガイドユニット２０上への突出高さが給版ローラ２４よりも僅かに低く設定されている。このリブ２６で、給版ローラ２８の回転によってプレート１２の搬送する際の摩擦力の軽減が図られている。
【００２３】
給版ガイドユニット２０の前端には、プレート１２の仮位置決め用に利用されるプリセット部材３０が設けられている。このプリセット部材３０は、プレート１２の前端に進出、退避するようになっている。
【００２４】
給版ローラ２４、２８によってプレート１２が前方へ搬送されると、プレート１２の前端がプリセット部材３０に突き当たる。これにより、プレート１２の前端の仮位置決めがなされる。このプリセット部材３０を下方に退避させると、給版ローラ２４によってプレート１２を給版ガイドユニット２０の前端を越えて前方へ搬送することが可能となる。
【００２５】
給版ガイドユニット２０の右側部には、給版ローラ２４の後方側近傍において給版ローラ２４、２８と略平行をなすスリット３２が形成されている。このスリット３２の下方にスリット３２と平行をなすように基準ピン移動ユニット３７が配置されている。
【００２６】
図５は、基準ピン移動ユニット３７の斜視図である。同図に示すように、基準ピン移動ユニット３７は、フレーム１００に固定されたガイドロッド１０１と、このガイド部材１０１と平行をなし、フレーム１００に回転自在に取り付けられた送りねじ１０２とを有する。移動体１０３は、ガイド部材１０１に摺動自在に装着されると共に、送りねじ１０２にねじ込まれている。第１の基準ピン３６Ａは移動体１０３の上面に回転自在に取り付けられたローラ状のものである。送りねじ１０２はフレーム１００に取り付けられた駆動モータ１０４からタイミングべルト１０５を介して駆動され、これにより移動体１０３は矢印１０６方向に往復動され、基準ピン３６はスリット３２から突出して往復動するようになっている。
【００２７】
基準ピン３６は、給版ガイドユニット２０の起点位置、すなわち、ホームポジションセンサＳによる検出位置に予め位置しており、給版ガイドユニット２０に載置されたプレート１２のサイズに応じて基準ピン３６が起点位置から左方へ移動されることで、プレート１２の右端部の基準を決めるようにしている。
【００２８】
基準ピン移動ユニット３７の移動体１０３には、略水平に延びる検出ブラケット１３３が取り付けられている。検出ブラケット１３３が発光素子１３０と受光素子１３１の間に入ると受光素子１３１がオンし、後述のように基準ピン３６のホームポジションを検出する。
【００２９】
図４に示すように、給版ガイドユニット２０の左側部位には、給版ローラ２４，２８と略平行をなすスリット３８が形成され、このスリット３８の下方に、スリット３８に対して平行をなすように幅方向移動ユニット３９が配置されている。
【００３０】
図６は、幅方向移動ユニット３９の斜視図である。同図において、幅方向移動ユニット３９は、フレーム１１０、１１１間に固定されたガイド部材１１２，１１３と、このガイド部材１１２，１１３に移動可能に装着された移動体１１４を有する。移動体１１４の上部には、回動アーム１１５が支点１１６を中心に回転自在に取り付けられ、この回動アーム１１５に円柱状の押圧ピン４２が支持軸４０を中心に回転自在に支持されている。押圧ピン４２はスリット３８より突出している。回動アーム１１５は与圧ばね１１９により図６の反時計回りに移動する方向に付勢されている。
【００３１】
フレーム１１０、１１１に設けられたプーリ１１７，１１８間にはタイミングベルト１２０が掛け渡され、このタイミングベルト１２０に上記移動体１１４が固定されている。フレーム１１１に設けられたプーリ１１７の軸には駆動プーリ１２１が取り付けられ、この駆動プーリ１２１と、フレーム１１０に取り付けられた駆動モータ１２２のモータプーリ１２２との間にタイミングベルト１２３が掛け渡されている。
【００３２】
図３に示すように、露光部１８には円柱状の回転ドラム５０と露光ヘッド６６が配置されている。給版ガイドユニット２０は回転ドラム５０の接線方向に位置され、プレート１２は給版ローラ２４によって回転ドラム５０周面上に前端が位置するように搬送される。
【００３３】
回転ドラム５０の周面には、一対の位置決めピン５２が設けられている。さらに回転ドラム５０の周面の、第１の位置決めピン５２の近傍には、前端チャック５４が設けられている。前端チャック５４の上方にはカム５６が設けられており、カム５６が前端チャック５４の前側を押圧することで、前端チャック５４の後側が回転ドラム５０周面から離間している。これにより、上述の如く給版ガイドユニット２０から回転ドラム５０周面上に搬送されるプレート１２の前端が前端チャック５４の後側と回転ドラム５０周面との間に挿入され、この状態で上記プレート１２の本位置決めが行われる。
【００３４】
プレート１２の本位置決めが終了した後には、カム５６が回動して前端チャック５４の押圧を解除することで、前端チャック５４内部に設けられた図示しないばねによって前端チャック５４の後側が回動し、これにより、プレート１２の前端を押圧して回転ドラム５０周面にプレート１２の前端が保持される。さらに、回転ドラム５０の周面にプレート１２の前端が保持されると、回転ドラム５０がプレート供給方向の前方（矢印Ａの方向）へ回転され、プレート１２が回転ドラム５０の周面に巻き付けられる。
【００３５】
回転ドラム５０の周面近傍には、カム５６よりも前側において、回転ドラム５０に接触離脱可能のスクイズローラ５８が配設されている。スクイズローラ５８は、回転ドラム５０側へ移動されることで、回転ドラム５０に巻き付けられるプレート１２を回転ドラム５０へ向けて押圧しつつ回転され、プレート１２を回転ドラム５０の周面に密着させる。
【００３６】
さらに、回転ドラム５０の周面近傍には、装着カム５６よりも後方（矢印Ｂ方向）側において、後端チャック着脱ユニット６０が配設されている。後端チャック着脱ユニット６０は、回転ドラム５０へ向けて移動可能のシャフト６２と、シャフト６２の先端に装着された後端チャック６４とを備えており、回転ドラム５０に巻き付けたプレート１２の後端が後端チャック着脱ユニット６０に対向すると、シャフト６２を介して後端チャック６４が回転ドラム５０側へ移動されてプレート１２を回転ドラム５０の所定の位置に固定する同時に、シャフト６２から後端チャック６４が離脱される。これにより、後端チャック６４がプレート１２の後端を押圧して、回転ドラム５０周面にプレート１２の後端が保持される。
【００３７】
このように、前端チャック５４および後端チャック６４によってプレート１２の前端および後端が回転ドラム５０に保持されると、スクイズローラ５８が回転ドラム５０から離間された後に、回転ドラム５０が所定の回転速度で高速回転される。これにより、プレート１２は給版ガイドユニット２０上で搬送されながら回転ドラム５０に巻き付けられていく。
【００３８】
図７は、本実施形態の画像露光装置を模式的に示す平面図である。同図に示すように、回転ドラム５０周面の後側近傍には、画像露光部１８としての露光ヘッド６６が配設されている。露光ヘッド６６には雌ネジ６８が形成されている。さらに、回転ドラム５０周面の後側近傍には、回転ドラム５０の軸５０Ａの方向に平行に送りねじ７０が配設されており、この送りねじ７０の一端（本実施形態では右端）にはパルスモータ（ステッピングモータ）７２が連結されて、パルスモータ７２の駆動によって送りねじ７が回転するようになっている。この送りねじ７０に記録ヘッド部６６の雌ネジ６８が螺合されて支持されている。パルスモータ７２により送りねじ７０が回転されることにより、記録ヘッド部６６が回転ドラム５０の軸線方向へ移動する。
【００３９】
露光ヘッド６６には原点位置検出センサ７６が設けられており、原点位置検出センサ７６が回転ドラム５０近傍の所定位置に配置された原点マーク７８を検出することで、露光ヘッド６６が原点位置（ヘッドホームポジション）に配置されるようになっている。
【００４０】
露光ヘッド６６は、高速回転される回転ドラム５０に向け、この回転ドラム５０の回転に同期させて、読み込まれた画像データに基づいて変調した光ビームを照射レンズ８０から照射し、これにより、プレート１２が画像データに基づいて露光される。この露光処理は、回転ドラム５０を高速で回転させながら（主走査）、露光ヘッド６６を回転ドラム５０の軸線方向へ移動させる（副走査）、所謂走査露光である。
【００４１】
プレート１２への走査露光が終了すると、後端チャック６４がシャフト６２に対向する位置で回転ドラム５０は一時停止され、シャフト６２の後退動作によって回転ドラム５０から後端チャック６４が取り外されて、後端チャック６４によるプレート１２後端の押圧が解除される。搬送ガイドユニツト１４の排版ガイドユニット２２が、図３に実線に示すように回転ドラム５０の接線方向に対向され、回転ドラム５０が図３の矢印Ｂの方向へ回転されることで、プレート１２が後端側から排版ガイドユニット２２へ排出される。この際、カム５６が回動されて前端チャック５４の前側を押圧することで、前端チャック５４後側によるプレート１２の前端の押圧が解除される。
【００４２】
プレート１２が排版ガイドユニット２２に送られると、排版ローラ２９が回動されて、排版ガイドユニット２２からプレート１２は排出され、これにより、プレート１２が画像露光装置１０に隣接する次工程の現像装置または印刷装置（図示省略）へ搬送される。
【００４３】
次に、本実施形態に係わる画像露光装置における印刷プレート１２の位置決めの動作をさらに詳細に説明する。
【００４４】
搬送ガイドユニット１４は、図３の鎖線位置に上昇している（初期状態）。まず、印刷プレート１２の種類、具体的には長さ、幅、厚み等のサイズを制御手段（図示せず）に入力し、次いで、印刷プレート１２を給版ガイドユニット２０に載置する。このとき、所謂手差しであってもよいし、自動枚葉装置等による送り込みであってもよい。給版ガイドユニット２０上の印刷プレート１２は、比較的ラフな状態で載置されており、この状態で給版ローラ２４、２８によって印刷プレート１２を前方へ搬送して印刷プレート１２の前端を仮位置決めピン３０（図４参照）に突き当てた後、給版ローラ２４，２８が自転して印刷プレート１２とスリップしている。この状態で、上記サイズ情報（幅サイズ情報）から計算された移動量だけ基準ピン３６が移動し、基準位置を設定する。次いで、押圧ピン４２によってよって印刷プレート１２を右方向へ搬送して基準ピン３６に突き当てることで、印刷プレート１２が仮位置決めされる。
【００４５】
この仮位置決め状態では、搬送ガイドユニット１４の給版ガイドユニット２０はパンチ部１６に対向している（図３鎖線位置）。仮位置決めピン３０を給版ガイドユニット２０上面から下降させると、給版ローラ２４、２８によって印刷プレート１２を前方へ搬送して印刷プレート１２の前端をパンチ部１６の一対の位置決めピン４８に突き当てた後、給版ローラ２４，２８が自転して印刷プレート１２とスリップしている状態で、上記サイズ情報（幅サイズ情報）から計算された移動量だけ基準ピン３６が移動し、基準位置を設定する。
【００４６】
次いで、押圧ピン４２によってよって印刷プレート１２を図４の右方向へ搬送して基準ピン３６に突き当てることで、パンチ部１６において印刷プレート１２が給版ガイドユニット２０に載置された状態で本位置決めされる。このように本位置決めされた印刷プレート１２の前端にパンチ装置４６によって所定数のパンチ孔が穿孔される。
【００４７】
パンチ孔の穿孔後、印刷プレート１２が給版ローラ２４の逆同転によって給版ガイドユニット２０上へ戻されると共に、ー対の仮位置決めピン３０を給版ガイドユニット２０上面から突出させて、再度上記と同様に印刷プレート１２が仮位置決めされる。
【００４８】
この仮位置決め状態で、搬送ガイドユニット１４を回動させて給版ガイドユニット２０を露光部１８に対応させる（図３実線位置）と共に、ー対の仮位置決めピン３０を給版ガイドユニット２０上面から下降させると、給版ローラ２４、２８によって印刷プレート１２を前方へ搬送して印刷プレート１２の前端を回転ドラム５０の一対の位置決めピン５２に突き当てた後、給版ローラ２４，２８が自転して印刷プレート１２とスリップしている状態で押圧ピン４２によって印刷プレート１２を右方向へ搬送して基準ピン３６に突き当てることで、露光部１８において印刷プレート１２が給版ガイドユニット２０に載置された状態で本位置決めされる。
【００４９】
このように本位置決めされた印刷プレート１２は、前端と後端とがそれぞれ前端チャック５４と後端チャック６４とによって回転ドラム５０の周面に保持されると共にスクイズローラ５８によって回転ドラム５０の周面に密着されつつ、回転ドラム５０の周面に巻き付けられる。その後、回転ドラム５０を高速回転させて、記録ヘツド部６６によって露光処理を行う。
【００５０】
露光処理が終了すると、搬送ガイドユニット１４を回動させて排版ガイドユニット２２を回転ドラム５０へ対応させると共に、前端チャック５４及び後端チャック６４による印刷プレート１２の回転ドラム５０周面への保持を解除しつつ、印刷プレート１２を回転ドラム５０から排版ガイドユニット２２へ排出する。その後、搬送ガイドユニット１４を回動させて排版ガイドユニット２２から印刷プレート１２を現像装置または印刷装置へ搬送する。
【００５１】
上記の説明では、プレート１２を１枚毎にパンチ処理、露光処理を行う動作を示したが、実際は１枚目のプレートを回転ドラム５０に巻き付けて露光している間に、次のプレートを給版ガイドユニット２０に載せて位置決め動作を行うことにより、生産性の向上を図っている。このような動作では、回転ドラム５０の回転による振動が給版ガイドユニット２０上で位置決め中のプレートに伝わり、プレートにびびりを起こすことにより位置ずれを生じ、正確な位置決め動作に支障をきたすことがある。
【００５２】
そこで、本発明では、位置決め中のプレート１２のびびりを防止するため、以下のような構成を採用している。
【００５３】
図８は、プレート支持部材の第１の実施形態を示す斜視図である。図５、図８に示すように、基準ピン移動ユニット３７の移動体１０３上に、基準ピン３６の内方（プレート側）に位置して、摩擦抵抗構成の小さい樹脂製の滑り材で構成されるプレート支持部材１４０が取り付けられている。このプレート支持部材１４０の形状は、図８に示すように、上面に平坦面１４０ａが形成され、プレート１２に対向する側にはテーパ面１４０ｂが形成されたものである。
【００５４】
図９に示すように、この平坦面１４０ａは給版ガイドユニット２０のプレート搬送面１４５（リブ２６の上面）より若干高くなるように設定されている。プレート１２が幅方向移動ユニット３９の押圧ピン４２で押圧されながら矢印方向に移動され、端縁がテーパ面１４０ｂに当たって滑りながら平坦面１４１に乗り上げ、基準ピン３６に当接する。これにより、プレート１２の側端部の裏面がプレート支持部材１４０で支持された状態となり、位置決め中における基準ピン３６周辺のプレートのびびりが抑制される。
【００５５】
図１０は、第２の実施形態のプレート支持部材の側面図、図１１は、その上面図である。同図に示すように、移動体１０３にアーム１４３を介して取り付けられたローラ１４４を基準ピン３６の内方にプレート１２の端縁とほぼ平行に配置した構成である。この構成では、プレート１２が幅方向移動ユニット３９の押圧ピン４２で押圧されながら矢印方向に移動され、端縁がローラ１４４に当たってローラ１４４の下部にもぐり込み、基準ピン３６に当接する。これにより、プレート１２の側端部の表面側がローラ１４４で支持された状態となり、位置決め中のプレートのびびりが抑制される。なお、びびりにより、プレート１２が大きく上方に跳ねることが抑制できればよいので、プレート１２とローラ１４４間に若干の隙間があってもよい。
【００５６】
図１２は、給版ローラ２４，２８の部分の拡大図である。給版ローラ２４，２８の回転軸２９には駆動モータ（図示せず）が連結され、給版ローラ２４，２５は駆動モータで駆動されるようになっている。この給版ローラ２４，２８の駆動時に、給版ローラ２４，２８の軸方向のがたつきにより給版ガイドユニット２０に振動を生じ、これにより、プレート１２にびびりを起こすことがある。これを防止するため、図１２に示すように、圧縮コイルばね１４６からなる与圧手段を回転軸２９に装着し、給版ローラ２４，２８と軸受け１４７との間に介在されたスペーサ１４９に給版ローラ２４，２８を押し付けることにより、回転時の給版ローラ２４，２８のがたつきを防止している。
【００５７】
図１３は、給版ガイドユニット２０の部分の拡大図である。給版ガイドユニット２０は軸１７に支持されて駆動モータ（図示せず）で駆動されるようになっている。この給版ガイドユニット２０の駆動時に、軸方向のがたつきにより給版ガイドユニット２０に振動を生じ、これにより、プレートにびびりを起こすことがある。これを防止するため、図１３に示すように、板ばね１５０を取付け、引張りばね１５１で付勢された押圧ローラ１５２を板ばね１５０に押し付けることにより、回転時の給版ガイドユニット２０の振動を防止している。この構成例では、板ばね１５１、引張りばね１５１および押圧ローラ１５２で与圧手段を構成しているが、給版ガイドユニット２０に与圧をかける手段であればよく、この構成には限定されない。
【００５８】
【発明の効果】
以上説明したように、本発明の画像露光装置によれば、プレートの側端縁の表面または裏面がプレート支持部材で支持されるため、回転ドラム等の振動がプレートに伝わっても、プレートにびびりによる位置ずれが発生することが防止でき、正確なプレート位置決めが可能となる。
【図面の簡単な説明】
【図１】本発明の画像露光装置の実施形態を示す斜視図である。
【図２】本発明の画像露光装置の実施形態を示す側面図である。
【図３】本実施形態の画像露光装置を模式的示す概略的側面図である。
【図４】排版ガイドユニットを除去した状態の搬送ガイドユニットの斜視図である。
【図５】基準ピン移動ユニットの斜視図である。
【図６】幅方向移動ユニットの斜視図である。
【図７】本実施形態の画像露光装置を模式的に示す平面図である。
【図８】プレート支持部材の第１の実施形態を示す斜視図である。
【図９】第１の実施形態のプレート支持部材の側面図である。
【図１０】第２の実施形態のプレート支持部材の側面図である。
【図１１】第２の実施形態のプレート支持部材の上面図である。
【図１２】給版ローラ部分の断面図である。
【図１３】給版ガイドユニット部分の断面図である。
【符号の説明】
１    本体フレーム
３    防振部材
１０    画像露光装置（画像露光手段）
１２    プレート
１６    パンチ装置
１８    露光部
２０    給版ガイドユニット
２４、２８    給版ローラ
３６    基準ピン（横位置決め手段）
３９    幅方向移動ユニット
４２    押圧ピン
５０    回転ドラム
１４０    プレート支持部材
１４０ｂ    テーパ面
１４４    回転ローラ
１４６    圧縮コイルばね（給版ローラ与圧手段）
１５０    板ばね（与圧手段）
１５２    ローラ（与圧手段）
１５１    引張りばね（与圧手段）
【図１】
2004333988.tif 000003
【図２】
2004333988.tif 000004
【図３】
2004333988.tif 000005
【図４】
2004333988.tif 000006
【図５】
2004333988.tif 000007
【図６】
2004333988.tif 000008
【図７】
2004333988.tif 000009
【図８】
2004333988.tif 000010
【図９】
2004333988.tif 000011
【図１０】
2004333988.tif 000012
【図１１】
2004333988.tif 000013
【図１２】
2004333988.tif 000014
【図１３】
2004333988.tif 000015